(57)【特許請求の範囲】
【請求項１】
プラスチックシート基材の裏面には接着塗布材を介して型抜き状態に止着されてなる箔材と、箔材形成面の上面に塗布されてなる表面保護用ニスとを有し、前記プラスチックシート基材の表面に施されてなるインク印刷と、そのインク印刷面の上面に塗布されてなる所望模様の透明エンボス用ニスと、前記透明エンボス用ニスに対して塗布されてなる、前記透明エンボス用ニスと非親和性の表面保護用ニスとを有し、前記透明エンボス用ニスが塗布されてなる部分が凸部を形成してなることを特徴とする装飾加工シート。
【請求項２】
前記透明エンボス用ニスは、前記インク印刷による図柄に対応して部分的に塗布されており、かつ、その上に施された前記表面保護用ニスに対して非親和性であることを特徴とする請求項１に記載の装飾加工シート。
【請求項３】
前記インク印刷は、一色または複数色のＵＶ印刷またはオフセット印刷であることを特徴とする請求項１または２に記載の装飾加工シート。
【請求項４】
前記プラスチックシート基材は２つ折りに重ねられなるとともにその下縁が閉塞された形態に形成されていることを特徴とする請求項１乃至３のいずれかに記載の装飾加工シート。
【請求項５】
プラスチックシート基材の裏面に接着塗布材を介して箔材を止着するとともに、前記箔材を型抜きし、箔材形成面の上に表面保護用ニスを塗布し、前記プラスチックシート基材の表面に印刷を施し、そのインク印刷面の上面に所望模様の透明エンボス用ニスを下塗りした後、さらに前記透明エンボス用ニスに対して、前記透明エンボス用ニスと非親和性の表面保護用ニスを塗布し、前記透明エンボス用ニスが塗布されてなる部分が凸部を形成してなることを特徴とする装飾加工シートの製造方法。
【発明の詳細な説明】
【技術分野】
【０００１】
本発明は、例えばクリアファイル、各種の包装箱、あるいはカード、ＰＯＰ等各種の用途に用い得る装飾加工シートおよびその製造方法に関する。
【背景技術】
【０００２】
プラスチックシートの表面に装飾を施してクリアファイルやカード、包装箱、看板その他広告用ＰＯＰに用いられるシートとして従来から種々の加工シート、複合シートあるいは表面装飾シートが存在している。例えばポリプロピレン樹脂シート（ＰＰシート）を基材とし、その裏面に多色模様や金属光沢の絵柄等を印刷し、さらにその上に銀フィルムを一様に蒸着したものが知られている。
【０００３】
また、特許文献１に示すように、透明プラスチックフィルムの片面に多色印刷を施した後、その印刷面に金属光沢層を蒸着やラミネート等により形成し、表面側と裏面側で異なる印象の外観を呈するようにした両面装飾シートが実現している。また他の例として、シートの片面に光散乱反射性をもつ蒸着フィルム、例えば銀蒸着フィルムを積層し、さらにこの蒸着フィルムの表面にアンカー層を形成し、その上に各種の印刷を施し得るようにした可印刷光散乱反射蒸着シートも開示されている（特許文献２）。
【０００４】
また、特許文献３には所望の色、濃さ、光沢度合い等多品種のものを少量単位で安価に生産可能とした加工紙が開示されており、これによれば紙製基板の表面に金属色フィルム層、例えば銀色プラスチックフィルムを蒸着し、この金属色フィルム層の表面に所望の色インクのオフセット印刷によって印刷層を形成し、紙材表面が有色金属色を呈するようにしている。場合によっては、前記金属色フィルム層の表面にアンカーコート層を形成してから印刷層をオフセット印刷し、またこの印刷層の表面に透明あるいは艶消しのＰＰ樹脂フィルムを貼着したり、さらには文字、図形等の表示を合せて印刷するようにしている。
【先行技術文献】
【特許文献】
【０００５】
【特許文献１】特開２００７−１５２６５４号公報
【特許文献２】特開２００７−３３３９４４号公報
【特許文献３】特開２０１０−８９４８９号公報
【発明の概要】
【発明が解決しようとする課題】
【０００６】
上述した従来の金属色ＰＰシートは、ＰＰ基材シートの裏面に印刷を施し、その上に金属色を出すための銀フィルムを蒸着するものであるが、この銀フィルムの蒸着はシートの裏面に一様にベタで蒸着することとなり、得ようとする絵柄の関係で銀フィルムを形成した部分と銀フィルムのない部分を選択的に混在させるというような蒸着は困難であった。また、金属色を出すために用いる銀フィルムは静電気を起し易く、その蒸着処理はきわめて熟練を要し、慎重な作業を強いられていた。さらに、この形態のものは裏面で印刷するため、表面側からは必ずしも鮮明、精緻な視認性が得られなかった。
【０００７】
また、特許文献１の両面装飾用の印刷シートは、表面側からは表面の絵柄の背景に金属光沢が現われ、裏面側では表面の印刷による多色の段差が裏面の金属光沢層に反映された装飾が得られるという利点はあるものの、前述と同様に蒸着による金属光沢層は全面に一様であり、微細な絵柄に対して部分的に選択して形成することはなされていない。
【０００８】
本発明は、金属色を呈する部位と金属色でない部位を絵柄に応じて選択的に、かつ容易に形成でき、また絵柄の微細な凹凸部分も簡単に露呈でき、さらに表面に鮮明な印刷面が得られる等、高級感のある装飾加工シートを提供することを目的とする。
【０００９】
本発明はまた、基材をＰＰシートやＰＥＴシート等の透明、透光性のあるシートで構成し、箔材の付着によって金属色を付与することにより、クリアファイル、菓子入れ等の包装箱、装飾箱、広告用ＰＯＰ、その他各種のカード類、葉書、カタログ、ホスター等として利用できる装飾加工シートを提供することを目的とする。
【００１０】
本発明はさらに、上述した装飾加工シートを製造する方法を提供することを目的とするものである。
【課題を解決するための手段】
【００１１】
本発明によれば、プラスチックシート基材の裏面には接着塗布材を介して型抜き状態に止着されてなる箔材と、箔材形成面の上面に塗布されてなる表面保護用ニスとを有し、前記プラスチックシート基材の表面に施されてなるインク印刷と、そのインク印刷面の上面に塗布されてなる所望模様の透明エンボス用ニスと、前記透明エンボス用ニスに対して塗布されてなる、前記透明エンボス用ニスと非親和性の表面保護用ニスとを有し、前記透明エンボス用ニスが塗布されてなる部分が凸部を形成してなる装飾加工シートが得られる。
【００１２】
本発明の他の形態によれば、前記透明エンボス用ニスは、前記インク印刷による図柄に対応して部分的に塗布されており、かつ、その上に施された前記表面保護用ニスに対して非親和性であることを特徴とする。
【００１３】
本発明の他の形態によれば、前記インク印刷は、一色または複数色のＵＶ印刷またはオフセット印刷であることを特徴とする。
【００１４】
本発明の他の形態によれば、前記箔材は前記プラスチックシート基材の裏面に型抜き状態に止着されていることを特徴とする。
【００１５】
本発明の他の形態によれば、前記プラスチックシート基材は２つ折りに重ねられてその下縁が閉塞された形態に形成されており、前記プラスチックシート基材の重ね合せられた内面側に接着塗布材を介して箔材が止着されているとともに、その箔材形成面の上に表面保護用ニスが塗布されており、前記プラスチックシート基材の表面にインク印刷が施されており、前記プラスチックシート基材の表面にインク印刷が施され、そのインク印刷面の上面に所望模様の透明エンボス用ニスが下塗りされて、さらにその上に表面保護用ニスが塗布されていることを特徴とする。
【００１６】
本発明による装飾加工シートは、プラスチックシート基材の裏面に接着塗布材を介して箔材を止着するとともに、前記箔材を型抜きし、箔材形成面の上に表面保護用ニスを塗布し、前記プラスチックシート基材の表面に印刷を施し、そのインク印刷面の上面に所望模様の透明エンボス用ニスを下塗りした後、さらに前記透明エンボス用ニスに対して、前記透明エンボス用ニスと非親和性の表面保護用ニスを塗布し、前記透明エンボス用ニスが塗布されてなる部分が凸部を形成してなることにより製造される。
【００１７】
本発明に係る装飾加工シートの製造方法の１つの形態によれば、前記透明エンボス用ニスは、前記インク印刷による図柄に対応して部分的に塗布され、かつ、その上に施す前記表面保護用ニスに対して非親和性であることを特徴とする。
【００１８】
本発明に係る装飾加工シートの製造方法の他の形態によれば、前記箔材は前記プラスチックシート基材の裏面に型抜き状態に止着されることを特徴とする。
【発明の効果】
【００１９】
本発明による装飾加工シートは、金属色を呈する部位と金属色でない部位を絵柄に応じて選択的に、かつ容易に形成できる。また、絵柄の微細な凹凸部分も簡単に露呈でき、さらに表面に鮮明な印刷面が得られ、高級感を出すことができる。
【図面の簡単な説明】
【００２０】
【図１】本発明の実施例に係る装飾加工シートを模型的に拡大して示した断面図である。
【図２】本発明に係る装飾加工シートの表面側の形成工程を拡大して示した模型的な概略図である。
【図３】従来のＰＰシートを基材とした金属色加工シートを模型的に示した拡大断面図である。
【図４】本発明に係る装飾加工シートで透かし模様を形成した実施例の表面側から見た部分的な平面図である。
【図５】本発明に係る装飾加工シートで形成したクリアファイルの一例を示す概略図である。
【発明を実施するための形態】
【００２１】
次に、本発明の実施例に係る装飾加工シートを、従来の金属色ＰＰシートと比較しつつ図面を参照して説明する。
従来の金属色ＰＰシート１は、図３に示すように、ＰＰシート基材２の裏面２ａに文字、図形、模様等の単色あるいは多色のインク印刷を施し、その印刷面３に金属色を出すための銀フィルム層４を蒸着によって形成した構成である。銀フィルム層４のは裏面の印刷面３の全面にベタに蒸着される。この場合、微細な絵柄模様に合せて銀フィルムを散点状に蒸着したり、細かい空白部分を残して蒸着したりすることはできず、また表面２ｂ側からは裏面の印刷層３が透視できるものの、発色等の品質は必ずしも良好ではない。
【００２２】
図１に例示する本発明の実施例の装飾加工シート１０は、ＰＰシートやＰＥＴシート等透明・透光性プラスチックフィルムを基材とし、この基材シート１１の裏面に接着剤１２を塗布した後、金属色を呈する箔材１３を付着させる。この箔形成面は任意の形状の箔形成面とすることが可能であり、箔の型抜きによって金属色を出したい部分と金属色を抜きたい部分を絵柄に応じて任意、選択的に形成し、これによって例えば、図４に関して後述するように、透かし模様を形成する等の処理を簡単に行うことが可能である。また、箔付けの処理作業においては、静電気の発生を心配する必要はなく、この点でも従来の金属色フィルムの蒸着とは異なる効果がある。箔形成の後、この箔形成面の全面に表面保護用ニス１４を塗布し、裏面の処理が完了する。
【００２３】
次に、図１，図２を参照して表面側の処理について説明すれば、基材シート１１の表面に単色あるいは多色、例えば５〜７色のインク印刷を行う（図２（ｂ））。この場合の印刷としては既に知られたＵＶ印刷、オフセット印刷等が採用される。このインク印刷層１５の表面に、図２（ｃ）の如く透明エンボス用ニス１６を塗布する。なお、図２では透明エンボス用ニス１６は他の部分と区別するため斜線で示してある。この場合、印刷面の全面に一様に塗布することもできるが、好ましくは下側の印刷層１５の絵柄、図柄に対応して部分的に所望の印刷部位を選択して塗布する。
【００２４】
透明エンボス用ニス１６の塗布後、図２（ｄ）の如くシート表面の全面に透明な表面保護用ニス１７を塗布する。ここで前記エンボス用ニス１６は表面保護用ニス１７に対して非親和性を有し、エンボス用ニス１６の部分では表面保護用ニス１７がはじかれて付着せず、表面保護用ニス１７の塗布面からエンボス用ニス１６の塗布部分が露出した形態となる。なお、通常は薄膜の形態をとる表面保護用ニスに比べてエンボス用ニス１６の厚みは表面保護用ニス１７よりも厚い。
【００２５】
表面保護用ニス１７の塗装面は滑らかな光沢面を呈し、エンボス用ニス１６の塗った部分では若干盛り上がったようなインク印刷色の金属色の面となり、あたかもエンボスが形成されたように視認される。なお、エンボス用ニス１６の塗布面の金属色は印刷層１５の金属色インクあるいは裏面に付着した箔材の金属色が表面に露呈するためである。このようにして本発明の装飾加工シート１０では表面保護用ニス１７による平坦で滑らかな光沢面と、エンボス用ニス１６および裏面箔材１３による金属色の疑似エンボス面とが組み合さった形態となる。
【００２６】
本発明の加工シート１０の裏面は箔付着面の上に表面保護用ニス１４を塗布しているため、滑らかな金属色の光沢面となる。ここで箔付着面の箔材１３は部分的に型抜きすることができ、表面側から見た場合、この部分が透かし模様として視認される。
【００２７】
図４は箔材の部分的な型抜きをおこなった場合のシート表面の一例を部分的に示した平面図である。箔材の部分的な型抜きによる透かし模様の形成に関してさらに説明すれば、図４に示すように、表面のインク印刷を行った後で裏面の箔形成面の部分的な型抜き１８を行った場合、印刷インクの塗布厚みによっては表面のインク印刷面１９には型抜きの透かし模様（符号１８の部分）が現れる。しかし、箔形成面の型抜き１８を行った後、塗布厚みの薄いインク印刷面１９に部分的に重なるように他のインク印刷を厚い塗布厚みで行うと、この厚い塗布厚みのインク印刷面２０の部分には型抜きの透かし部分は現れない。このように裏面の箔形成面で同じ型抜き１８を行った場合でも、表面の多色のインク印刷の形態によっては部分的に透かし模様の現れる部分と現れない部分を生成することができ、より多様な装飾が得られる。
【００２８】
図４で符号１９のインク印刷部分には裏面の箔材による金属色の有色面が現れるとともに、この有色面に型抜きによる透かし部分（符号１８）が露呈している。この面にさらに厚い塗布厚みで部分的に白色インク印刷図柄（符号２０）を塗布すると、この白色インク印刷図柄の部分には裏面の透かし模様は現れない。このように裏面の箔材の型抜き１８と表面側のインク印刷形態とを組み合せて任意の、かつ多様な装飾シートが実現できる。
【００２９】
図５は本発明に係る装飾加工シートによってクリアファイル２１を製作した場合の斜視図である。この実施例のクリアファイル２１も通常のクリアファイルのように長方形シートの片側部２１ａを折り曲げて重ね合せ、下縁２１ｂを接着して製作されるが、シートの重ね合せ面、即ちファイル内面は金属色の箔付着面２２となっている。クエアファイル２１の表面は金属色の有色インク印刷面２３と、金属色とならないインク印刷面、例えば白色インク印刷図柄２４が現れている。金属色の有色インク印刷面２３には白色インク印刷図柄２４の部分を除く全面にエンボス用ニス１６（図２）を塗布し、最後に表面全面に表面保護用ニス１７（図２）を塗布することにより、白色インク印刷図柄２４の部分にのみ滑らかな表面保護用ニスが残り、その他の部分には金属色の疑似エンボス面が形成される。このようにして本発明による装飾加工シートは裏面の箔材付着と、表面のインク印刷模様、エンボス用ニスおよび表面保護用ニスの組み合せにより、多様な装飾の加工シートが得られる。なお、上述の実施例では装飾加工シートでクリアファイルを製作した例について記載したが、本発明に係る装飾加工シートは装飾箱、カード類、広告用ＰＯＰ、絵葉書など種々の製品の製作に利用できることは勿論である。尚、本発明にかかる実施の形態では、基材シートの表面及び裏面の分言で基材シートの一方の面と他方の面を説明したが、本発明の装飾加工シートにより種々の物品を作成する際にいずれの面を表側、裏側とするかは要求される装飾性や視認性に応じて任意に選択される。また、箔材１３の止着の手法は接着剤による接着に限られるものではなく、圧着、糊着、貼着等その他種々の止着の手法を選択することができる。
【００３０】
このように、本発明による装飾加工シートは、金属色を呈させるために箔材を用いることにより、金属色を呈する部分とそうでない部分を箔の型抜きにより選択的に混在させることが可能となった。また従来の金属蒸着フィルムは静電気を起し易くフィルムの貼着により金属色面を形成するにはきわめて熟練を要したのに対し、箔材を止着することにより容易にきれいな金属色面を形成することができる。またエンボス用ニス１６を塗布すれば絵柄の微細な凹凸部分も簡単に露呈でき、さらに表面に鮮明な印刷面が得られ、高級感を出すことができる。さらには、基材をＰＰシートやＰＥＴシート等の透明、透光性のあるシートで構成し、箔材の止着によって金属色を付与することにより、クリアファイル、菓子入れ等の包装箱、装飾箱、広告用ＰＯＰ、その他各種のカード類、葉書、カタログ、ポスター等として利用できる。
【符号の説明】
【００３１】
１０  装飾加工シート
１１  基材シート
１２  接着剤
１３  箔材
１４  表面保護用ニス（裏面側）
１５  インク印刷層
１６  透明エンボス用ニス
１７  表面保護用ニス（表面側）
１８  型抜き
１９，２０  インク印刷面
２１  クリアファイル
【図１】
0006059129.tif 000002
【図２】
0006059129.tif 000003
【図３】
0006059129.tif 000004
【図４】
0006059129.tif 000005
【図５】
0006059129.tif 000006